(57)【要約】【課題】高い耐圧強度を備える紙箱を提供する。【解決手段】紙箱１の底面となる中央基板１０を備え、その中央基板１０の四周辺には前面板２０、後面板３０、左中間板４０および右中間板４１がそれぞれ設けられる。前面板２０の両側には左前面板２１および右前面板２２が設けられ、左前面板２１および右前面板２２の上縁には左前補強板２４および右前補強板２５が設けられる。後面板３０の両側には左後面板３１および右後面板３２がそれぞれ設けられ、左後面板３１および右後面板３２の上縁には左後補強板３４および右後補強板３５が設けられる。前面板２０および後面板３０の上縁には前補強板２３および後補強板３３が設けられる。前補強板２３と左前補強板２４および右前補強板２５との間、および後補強板３３と左後補強板３４および右後補強板３５との間には分離溝２６、２７、３６、３７がそれぞれ形成される。【選択図】  図４
0003122064.tif 000002
【実用新案登録請求の範囲】
【請求項１】
紙箱の底面となる中央基板を備え、その中央基板の四周辺には上方に折り曲げられる前面板、後面板、左中間板および右中間板がそれぞれ設けられ、前記前面板の両側には左中間板および右中間板の前方を被覆する左前面板および右前面板がそれぞれ延伸して設けられ、前記左前面板および右前面板の上縁には内側に折り曲げられる左前補強板および右前補強板がそれぞれ設けられ、前記後面板の両側には左中間板および右中間板の後方を被覆する左後面板および右後面板がそれぞれ延伸して設けられ、前記左後面板および右後面板の上縁には内側に折り曲げられる左後補強板および右後補強板がそれぞれ設けられ、前記前面板および後面板の上縁には内側に折り曲げられる前補強板および後補強板がそれぞれ設けられ、前記前補強板と左前補強板および右前補強板との間には分離溝がそれぞれ形成され、前記後補強板と左後補強板および右後補強板との間には分離溝がそれぞれ形成されることを特徴とする高い耐圧強度を備える紙箱。
【請求項２】
前記中央基板上には、複数の通気孔が設けられることを特徴とする請求項１記載の高い耐圧強度を備える紙箱。
【請求項３】
前記前面板および前補強板上には、お互いに対応する複数の通気孔がそれぞれ設けられることを特徴とする請求項１記載の高い耐圧強度を備える紙箱。
【請求項４】
前記後面板および後補強板上には、お互いに対応する複数の通気孔がそれぞれ設けられることを特徴とする請求項１記載の高い耐圧強度を備える紙箱。
【請求項５】
前記左中間板の中央には取っ手孔が設けられ、前記左前面板、左前補強板、左後面板および左後補強板には、前記取っ手孔に対応する外前取っ手孔、内前取っ手孔、外後取っ手孔および内後取っ手孔がそれぞれ設けられることを特徴とする請求項１記載の高い耐圧強度を備える紙箱。
【請求項６】
前記右中間板の中央には取っ手孔が設けられ、前記右前面板、右前補強板、右後面板および右後補強板には、前記取っ手孔に対応する外前取っ手孔、内前取っ手孔、外後取っ手孔および内後取っ手孔がそれぞれ設けられることを特徴とする請求項１記載の高い耐圧強度を備える紙箱。
【請求項７】
前記左前面板と左後面板とが接触する端面は貼合され、前記左前補強板と左後補強板とが接触する端面は貼合されることを特徴とする請求項１記載の高い耐圧強度を備える紙箱。
【請求項８】
前記右前面板と右後面板とが接触する端面は貼合され、前記右前補強板と右後補強板とが接触する端面は貼合されることを特徴とする請求項１記載の高い耐圧強度を備える紙箱。
【考案の詳細な説明】
【技術分野】
【０００１】
本考案は高い耐圧強度を備える紙箱に関し、特に果物や物品を放置する紙箱の構造に関する。
【背景技術】
【０００２】
紙箱はプラスチック製のものよりも環境汚染の問題が発生しにくいので果物やその他物品を放置するのに広く利用されている。しかし従来技術による紙箱は金属ピンや接着剤によって組立が行われ、金属ピンを使用するにしても、接着剤を使用するにしても廃棄後には環境汚染の問題が発生する。また、一般の紙箱は紙材料から製造され、比較的柔らかく、衝撃や積み重ねによる重量に耐えることができない。従って、高い耐圧強度を備え、しかも環境にやさしい紙箱の構造を案出することは本業界において重要な課題であった。
【０００３】
従来技術による構造である特許文献１の構造は、紙箱の底面となる中央基板が設けられ中央基板の周囲に沿って延伸板を備える前後面板、左右面板がそれぞれ設けられ、前後面板の両側からは補強板が延伸し、左右面板の内部表面に支持され、左右面板の延伸板は前後面板の延伸板を押圧支持し、その両側の補強板は前後面板の外部表面に支持される。前後面板の左右上端には凸部がそれぞれ設けられ、左右面板の延伸板の貫通孔を貫通し、前後面板と中央基板との接続部分には左右に掛合孔が設けられ、補強板端縁のストッパ部が定位される。
【０００４】
しかし、従来技術による紙箱の構造には下記の問題点が存在する。周囲の板は全て単層構造であるので、輸送過程において各方向から衝撃を受けた場合、その衝撃に耐えることができず、内部の物品が破損してしまう。また、縦方向の強度が特に不足するので紙箱を積み重ねることができず、その結果、運搬時に多くの労力が必要となり、また、輸送時に効率の良い配置をすることができず、輸送コストが非常に高くなる。また、全体の構造が複雑で、紙箱を製造するのに手間が掛かるだけでなく、組立、分解ともに時間が掛かり経済的でない。
【０００５】
上述の従来技術における問題に鑑み、本考案の発案者は長年の経験に基づき、研究、改良を重ね、ついに本考案を案出した。
【特許文献１】台湾実用新案公告号第５７７４４２号
【考案の開示】
【考案が解決しようとする課題】
【０００６】
本考案の目的は紙箱の周囲の板が二層以上の相互に重なった構造になっており、各方向からの衝撃に耐えることができ、複数の紙箱を積み重ねることができるので、輸送コストおよび人力による運搬コストを節約できる高い耐圧強度を備える紙箱を提供することにある。
【課題を解決するための手段】
【０００７】
上述の目的を解決するために、本考案の高い耐圧強度を備える紙箱は、紙箱の底面となる中央基板を備え、その中央基板の四周辺には上方に折り曲げられる前面板、後面板、左中間板および右中間板がそれぞれ設けられ、前面板の両側には左中間板および右中間板の前方を被覆する左前面板および右前面板がそれぞれ延伸して設けられ、左前面板および右前面板の上縁には内側に折り曲げられる左前補強板および右前補強板がそれぞれ設けられ、後面板の両側には左中間板および右中間板の後方を被覆する左後面板および右後面板がそれぞれ延伸して設けられ、左後面板および右後面板の上縁には内側に折り曲げられる左後補強板および右後補強板がそれぞれ設けられる。前面板および後面板の上縁には内側に折り曲げられる前補強板および後補強板がそれぞれ設けられ、前補強板と左前補強板および右前補強板との間には分離溝がそれぞれ形成され、後補強板と左後補強板および右後補強板との間には分離溝がそれぞれ形成される。
【考案の効果】
【０００８】
本考案による紙箱は蓋のない開放式の箱なので果物など入れたまま直接売り場に並べることができ、作業時間を大幅に短縮できる。また、金属ピンを使用しないので、運搬や分解時に金属ピンが引っ掛かり作業員が怪我することはない。また、紙箱の周囲の板は全て複数層の相互に重なり合った構造なので、各方向からの衝撃に耐えることができ、複数の紙箱を積み重ねることができるので、紙箱を移動させる時の労力および輸送などに掛かるコストを節約できる。また、中央基板および前面板および後面板上には全て通気孔が設けられており、内部は通気性が確保されるので、果物の新鮮さを保つことができ容易に腐ることはない。
【考案を実施するための最良の形態】
【０００９】
本考案の目的、特徴および効果を示す実施例を図に沿って詳細に説明する。しかし下記実施例は本考案を制限するものではない。
【００１０】
図１は本考案の展開状態を示す上面図である。図２は本考案の展開状態を示す斜視図である。図３は本考案の組立途中の状態を示す斜視図である。図４は本考案の組立途中の第２の状態を示す斜視図である。本考案は高い耐圧強度を備える紙箱１を提供するものであり、紙箱１は底面となる矩形の中央基板１０、中央基板１０の四周辺には上方に折り曲げられる前面板２０、後面板３０、左中間板４０および右中間板４１がそれぞれ設けられる。前面板２０の両側には左中間板４０および右中間板４１の前方を被覆する左前面板２１および右前面板２２がそれぞれ延伸して設けられる。前面板２０の上縁には内側に折り曲げられる前補強板２３が設けられる。左前面板２１および右前面板２２の上縁には内側に折り曲げられる左前補強板２４および右前補強板２５がそれぞれ設けられ、前補強板２３と左前補強板２４および右前補強板２５との間には分離溝２６、２７がそれぞれ形成される。後面板３０の両側には左中間板４０および右中間板４１の後方を被覆する左後面板３１および右後面板３２がそれぞれ設けられる。後面板３０の上縁には内側に折り曲げられる後補強板３３が設けられる。左後面板３１および右後面板３２の上縁には内側に折り曲げられる左後補強板３４および右後補強板３５がそれぞれ設けられる。後補強板３３と左後補強板３４および右後補強板３５との間には分離溝３６、３７がそれぞれ形成される。
【００１１】
中央基板１０上には複数の通気孔１１が設けられる。前面板２０および前補強板２３上にはそれぞれ相互に対応した通気孔２０１、２３１が設けられる。後面板３０および後補強板３３上には相互に対応した通気孔３０１、３３１が設けられる。また、左中間板４０および右中間板４１の中央部分には取っ手孔４０１、４１１がそれぞれ設けられる。左前面板２１、左前補強板２４、左後面板３１および左後補強板３４には前述の取っ手孔４０１に対応する外前取っ手孔２１１、内前取っ手孔２４１、外後取っ手孔３１１および内後取っ手孔３４１がそれぞれ設けられる。また、右前面板２２、右前補強板２５、右後面板３２および右後補強板３５には前述の取っ手孔４１１に対応する外前取っ手孔２２１、内前取っ手孔２５１、外後取っ手孔３２１および内後取っ手孔３５１がそれぞれ設けられる。
【００１２】
組立時は、先ず前面板２０、後面板３０、左中間板４０および右中間板４１を上方に折り曲げる。次に前補強板２３および後補強板３３を前面板２０および後面板３０の内部表面上にそれぞれ折り曲げる。前補強板２３および後補強板３３の末端面を中央基板１０の内部表面上にそれぞれ接触させる。左前面板２１および左前補強板２４を左中間板４０の前方の外、内表面上にそれぞれ折り曲げ、右前面板２２および右前補強板２５を右中間板４１の前方の外、内表面上にそれぞれ折り曲げる。同様に、左後面板３１、左後補強板３４、右後面板３２および右後補強板３５を左中間板４０および右中間板４１の後方の外、内表面上にそれぞれ折り曲げる。このようにして本考案の高い耐圧強度を備える紙箱が組立てられる。
【００１３】
図５は本考案に果物を放置し、積み重ねた状態を示す斜視図である。本考案の紙箱１はパイナップルなどの果物５またはその他の物品を放置でき、周囲の板は全て二層以上の相互に重なり合った構造なので、高い耐圧強度を備え、複数の紙箱１を積み重ねることができる。
【００１４】
本考案による高い耐圧強度を備える紙箱１は下記の長所を備える。本考案による紙箱１は蓋のない開放式の箱なので果物など入れたまま直接売り場に並べることができ、作業時間を大幅に短縮できる。また、金属ピンを使用しないので、運搬や分解時に金属ピンが引っ掛かり作業員が怪我することはない。また、紙箱１の周囲の板は全て複数層の相互に重なり合った構造なので、各方向からの衝撃に耐えることができ、複数の紙箱１を積み重ねることができるので、紙箱１を移動させる時の労力および輸送などに掛かるコストを節約できる。また、中央基板１０および前面板２０および後面板３０上には全て通気孔が設けられており、内部は通気性が確保されるので、果物の新鮮さを保つことができ容易に腐ることはない。
【００１５】
上述の説明から分かるように、本考案の高い耐圧強度を備える紙箱は確実に目的を達成できる。また、本考案は未発表であり、新規性および進歩性を備える。
【００１６】
上述の図面に沿った説明は本考案の実施例を示すものであり、本考案を限定するものではなく、当該技術に熟知した者による本考案の範囲に基づく変更または修飾は全て本考案の請求範囲に含まれる。
【図面の簡単な説明】
【００１７】
【図１】本考案の展開状態を示す上面図である。
【図２】本考案の展開状態を示す斜視図である。
【図３】本考案の組立途中の状態を示す斜視図である。
【図４】本考案の組立途中の第２の状態を示す斜視図である。
【図５】本考案に果物を放置し、積み重ねた状態を示す斜視図である。
【符号の説明】
【００１８】
１    紙箱
１０  中央基板
１１、２０１、２３１、３０１、３３１  通気孔
２０  前面板
２１  左前面板
２１１、２２１  外前取っ手孔
２２  右前面板
２３  前補強板
２４  左前補強板
２４１、２５１  内前取っ手孔
２５  右前補強板
２６、２７、３６、３７  分離溝
３０  後面板
３１  左後面板
３１１、３２１  外後取っ手孔
３２  右後面板
３３  後補強板
３４  左後補強板
３４１、３５１  内後取っ手孔
３５  右後補強板
４０  左中間板
４０１、４１１  取っ手孔
４１  右中間板
５    果物
【図１】
0003122064.tif 000003
【図２】
0003122064.tif 000004
【図３】
0003122064.tif 000005
【図４】
0003122064.tif 000006
【図５】
0003122064.tif 000007